(57)【要約】【課題】前扉についての組み立て作業において、キャビネットをバリア下に固定する際に、操作スイッチに接続されたコネクタが移動してしまうと作業性が低下するだけでなく、ハーネスを前扉と筐体とで挟んで破損させてしまうことがある。【解決手段】扉本体３９にコネクタを保持するコネクタ保持部１３０を設けると共に、基体３７のおけるコネクタ保持部１３０に対応する位置に開口部７３を形成し、コネクタをコネクタ保持部１３０に保持させた状態で基体３７に扉本体３９を固定すると開口部７３からコネクタが引き出し可能となるようにする。【選択図】図５
2014100165.tif 000002
【特許請求の範囲】
【請求項１】
正面が開口された筐体と、該筐体の前記開口を開閉する前扉と、を備え、
前記前扉は、扉本体と、前記前扉で前記筐体の前記開口を塞いだ状態にて前記扉本体と前記筐体との間に介在し、かつ前記扉本体が固定される基体と、を有する遊技機であって、
前記扉本体に設けられ、遊技の進行に用いる操作部と、
前記操作部と電気的に接続される基板と、
前記操作部に一端が接続され、かつ前記基板に接続されるコネクタが他端に設けられたワイヤーハーネスと、
前記扉本体に設けられ、前記コネクタを保持するコネクタ保持部と、
前記基体における前記コネクタ保持部に対応する位置に設けられた開口部と、を備えている、
ことを特徴とする遊技機。
【発明の詳細な説明】
【技術分野】
【０００１】
本発明は、開口された筐体の正面側を開閉する前扉を備える遊技機に係り、詳しくは、前扉にワイヤーハーネスが配索される遊技機に関する。
【背景技術】
【０００２】
一般に、遊技機であるスロットマシンは、回転リールやメダルホッパーなどの各種装置を収容する筐体を備えおり、この筐体には、筐体内を開閉するための前扉が設けられていることが知られている。また、その前扉には、リールの回転を開始させるスタートレバーやリールの回転を停止させるストップボタンなど、遊技の進行に用いる各種スイッチの他、スロットマシンの動作を制御する制御基板など種々の電子部品が配置されており、これら各種スイッチや電子部品などは、前扉に配索されたハーネス（電線）とコネクタを介して接続されるように構成されている。
【０００３】
ところで、近年のスロットマシンにあっては、スタートレバーやストップボタン以外にも様々なスイッチや、数多くの制御基板などの電子部品が前扉に配置されている。それに伴い、これら各スイッチ及び各電子部品などを接続するためのハーネス（電線）にあっては、全長の長いハーネスが数多く必要となるため、ハーネス自体が複雑な形で前扉に配索されることになる。
【０００４】
そこで近年にあっては、ハーネスを前扉に配置された各種スイッチ及び電子部品などに取付ける際に、取付工程において複数のハーネスが邪魔にならないように、それら複数のハーネスを収容するための配線処理空間を設け、その空間にハーネスを収容することで、メンテナンス時には、ハーネスを容易に取り出せるようにし、前扉を開閉する際には、ハーネスが扉に挟まって断線することを防止する遊技機が案出されている（例えば、特許文献１参照）
【先行技術文献】
【特許文献】
【０００５】
【特許文献１】特開平７―１０８０８３号公報
【発明の概要】
【発明が解決しようとする課題】
【０００６】
しかしながら、特許文献１記載の遊技機にあっては、結束バンドなどで束ねたハーネスを配線処理空間に収容（配置）する構成であることから、例えば、結束バンドが切断した場合には、ハーネス自体が柔軟性を有して構成されているため、ハーネスが配線処理空間外に位置する場合があり、これに伴い、ハーネスの端部に設けられたコネクタも配線処理空間から移動してしまう（飛び出す）ことがある。そして、このハーネスやコネクタの移動が、前扉自体の組み付け作業中に起こると、作業者が移動したコネクタを探さなければならず、組み付け作業自体が手間のかかる作業になってしまう虞があり、さらには、配線処理空間から移動したハーネスを前扉と筐体との間に挟み込むことでハーネスを破損させてしまう虞もあった。
【０００７】
そこで本発明は、扉本体を基体に取付ける際の作業性の向上を図り、前扉の組み立て作業を１人で容易に行い得る遊技機を提供することを目的とする。
【課題を解決するための手段】
【０００８】
本発明は、正面が開口された筐体（２）と、該筐体（２）の前記開口を開閉自在に塞ぐ前扉（３）と、を備え、
前記前扉（３）は、扉本体（３９）と、前記前扉（３）で前記筐体（２）の前記開口を塞いだ状態にて前記扉本体（３９）と前記筐体（２）との間に介在し、かつ前記扉本体（３９）が固定される基体（３７）と、を有する遊技機（１）であって、
前記扉本体（３９）に設けられ、遊技の進行に用いる操作部（１１７）と、
前記操作部（１１７）と電気的に接続される基板（７５）と、
前記操作部（１１７）に一端が接続され、かつ前記基板（７５）に接続されるコネクタ（８１）が他端に設けられたワイヤーハーネス（８０）と、
前記扉本体（３９）に設けられ、前記コネクタ（８１）を保持するコネクタ保持部（１３０）と、
前記基体（３７）における前記コネクタ保持部（１３０）に対応する位置に設けられた開口部（７３）と、を備えていることを特徴とする。
【０００９】
なお、上記カッコ内の符号は、図面と対照するためのものであり、これにより特許請求の範囲の記載に何等影響を及ぼすものではない。
【発明の効果】
【００１０】
請求項１に係る発明によると、扉本体にコネクタを保持するコネクタ保持部を設けると共に、基体におけるコネクタ保持部に対応する位置に開口部を設け、基体に扉本体を固定すると、開口部からコネクタを引き出すことができるので、扉本体を基体に容易に固定することができ、前扉を組み立てる際の作業性の向上を図ることができる。これにより、前扉の組み立て作業を１人でも容易に行うことができる。
【図面の簡単な説明】
【００１１】
【図１】本実施の形態に係るスロットマシンの全体を示す正面図。
【図２】本実施の形態に係るスロットマシンの前扉が開いている状態を示す斜視図。
【図３】本実施の形態に係るスロットマシンの下扉を前方側から見た斜視図。
【図４】本実施の形態に係るスロットマシンの下扉を後方側から見た斜視図。
【図５】本実施の形態に係るスロットマシンの下扉の背面図。
【図６】本実施の形態に係る基板カバーを本実施の形態に係るスロットマシンの基板取付部に着脱する際の状態を示す斜視図。
【図７】本実施の形態に係る基板カバーの断面図（図５のＡ−Ａ断面図）。
【図８】本実施の形態に係るスロットマシンの下扉のスピーカ装着時の断面図（図５のＣ−Ｃ断面図）。
【図９】本実施の形態に係るスロットマシンの下扉のスピーカ装着時の拡大断面図（図５のＣ−Ｃ断面図）。
【図１０】本実施の形態に係るスロットマシンの下扉のスピーカ装着時の断面図（図５のＢ−Ｂ断面図）。
【図１１】本実施の形態に係るスロットマシンの下扉のジョグダイヤル装着時の拡大断面図（図５のＤ−Ｄ断面図）。
【図１２】本実施の形態に係るスロットマシンの下扉のスピーカ装着時のキャビネット、スピーカ、及びバリア下を後方側から見た分解斜視図。
【図１３】本実施の形態に係るスロットマシンの下扉のスピーカ装着時のキャビネット、スピーカ、及びバリア下を前方側から見た分解斜視図。
【図１４】本実施の形態に係るスロットマシンの下扉のスピーカ装着時のバリア下を前方側から見た斜視図。
【図１５】本実施の形態に係るスロットマシンの下扉のキャビネットを後方側から見た斜視図。
【図１６】本実施の形態に係るスロットマシンの下扉のキャビネットの背面図。
【図１７】本実施の形態に係るスロットマシンの下扉のキャビネット、下パネル、及びジョグダイヤルを前方側から見た分解斜視図。
【図１８】本実施の形態に係るスロットマシンの下パネルを後方側から見た斜視図。
【図１９】本実施の形態に係るスロットマシンの下パネルの前ケース、後ケース、及び表示シートの分解斜視図。
【図２０】本実施の形態に係るスロットマシンの下パネルを構成する前ケースの正面図。
【図２１】本実施の形態に係るスロットマシンの下パネルを構成する後ケースの背面図。
【図２２】本実施の形態に係るスロットマシンの前ケース及び後ケースを重ね合わせて下パネルを構成した際の第２係止部の拡大縦断面図。
【図２３】本実施の形態に係るスロットマシンのジョグダイヤルの側面図。
【図２４】本実施の形態に係るスロットマシンのジョグダイヤルの背面図。
【図２５】本実施の形態に係るスロットマシンの下扉の断面図（図５のＥ−Ｅ断面図）であって、キャビネット開口部と下パネルとの間に挿入された針金で上側フックが押されている状態を示す図。
【図２６】本実施の形態に係るスロットマシンの下扉の断面図（図５のＦ−Ｆ断面図）であって、ＬＥＤ基板で下パネルを照らしている状態を示した図。
【図２７】本実施の形態に係る基板カバーの変形例を示す断面図である。
【発明を実施するための形態】
【００１２】
以下、本実施の形態に係る遊技機について図１〜図２７に沿って説明する。なお、以下の説明中における方向は、遊技機と向かい合うようにして着座した際のユーザー（遊技者）から見た方向を基準として説明するものとする。
【００１３】
［スロットマシンの全体構成］
図１には、遊技機の一例であるスロットマシン１が示してある。スロットマシン１は、図１に示すように、本体部である筐体２及び該筐体２に開閉自在に取付けられた扉部である前扉３を有して構成されている。
【００１４】
筐体２は、図２に示すように、底部に配置される底板５、左右に対向するようにして側部に配置される２枚の側板６，７、背部に配置される背板９、及び頂部に配置される天板１０からなり、背板９の対向する筐体２の正面側が開口されている。
【００１５】
また、底板５の上面であって、その略中央付近には、図２に示すように、メダルを払い出すためのホッパーユニット１１が配置されている。該ホッパーユニット１１の左隣には、スロットマシン１に電源を供給するための電源装置１２が隣接して配置されており、該電源装置１２には、スロットマシン１の主電源を入り切りするメインスイッチなどの各種スイッチなどが設けられている。また、ホッパーユニット１１の右隣には、ホッパーユニット１１から溢れ出したメダルを溜めておくためのオーバーフロータンク１３が配置されている。
【００１６】
ホッパーユニット１１の上方であって、左右の側板６，７の上下方向における略中央付近には、筐体２内を上方と下方とに仕切る中板１５が左右の側板６，７間に架設されており、該中板１５の上方には、リールユニット１６が配置されている。該リールユニット１６は、左回転リール１９、中回転リール２０、及び右回転リール２１の３つの回転リールから構成されており、各回転リール１９，２０，２１の外周面には、図示しない複数の図柄が表示されている。これら各回転リール１６は、中板１５上に配置された枠体２２に回転自在に支持されており、図示しない駆動モータによって回転駆動するように設けられている。
【００１７】
さらに、枠体２２には、基板ユニット２３が設けられており、これらリールユニット１６、枠体２２、及び基板ユニット２３などからスロットマシン１の交換ユニット２５が構成されている。そして、枠体２２は、筐体２内から着脱可能に設けられており、例えば、この交換ユニット２５を交換する際には、枠体２２を取外すだけでよく、電源装置１２やホッパーユニット１１などは、そのままの状態で使用することができるように構成されている。
【００１８】
［前扉の構成］
前扉３は、筐体２の開口された正面を開閉するため、回動自在で筐体２に取付けられている。そして、前扉３は、図１及び図２に示すように、中板１５から上方を覆う上扉２６、及び中板１５から下方を覆う下扉２７の２つの扉から構成されている。
【００１９】
［上扉の構成］
上扉２６は、図１に示すように、正面視で略矩状に形成されており、その扉面の中央から下方側にかけて各回転リール１９，２０，２１に設けられた図柄を表示するための図柄表示窓２９が設けられている。また、図柄表示窓２９の上方には、液晶表示装置などで遊技に関する数字や演出による画像（動画）などを表示する演出表示部３０が設けられており、該演出表示部３０の周辺には、演出表示部３０を囲うようにして、飾り部３１が設けられている。
【００２０】
図２に示すように、上扉２６は、その左側端部側が筐体２に設けられた２つの回動支持部３２各々にヒンジ装置３３を介して支持されて、回動自在に筐体２に取り付けられている。また、上扉２６は、その右側端部側に設けられて施錠装置を構成する鉤部（フック）２８が、対応する筐体２の位置に設けられた突片３６に引っ掛ることで、筐体２の正面側における中板１５から上方を閉じた状態で筐体２に固定さるようになっている。
【００２１】
［下扉の構成］
上扉２６の下方に配置され、中板１５から下方を覆う下扉２７は、上扉２６と同様に、２つの回転支持部３２各々にヒンジ装置３４を介して支持されており、鉤部３５が対応する筐体２の位置に設けられた突片３６に引っ掛ることで、筐体２の正面側における中板１５から下方を閉じた状態で筐体２に固定さるようになっている。また、下扉２７は、図２に示すように、主に、筐体２の正面側に配置される扉本体であるキャビネット３９、及びキャビネット３９と筐体２との間に介在し、キャビネット３９が固定される、基体（ベース部材）であるバリア下３７から構成されている。
【００２２】
［バリア下の構成］
バリア下３７は、図５及び図１２に示すように、正面視で矩形状に形成されていると共に、略板状に形成されている。そして、バリア下３７の表側面（以下、単にバリア面という）であって、その中央部付近には、図１３に示すように、後述する表示シート１４７が収容された下パネル１４３を照らす光源としての照明装置を収容するための照明装置収容部３８が設けられている。該照明装置収容部３８には、照明装置として２つのＬＥＤ基板４２が収容されており、該ＬＥＤ基板４２は、照明装置収容部３８に設けられた照明装置を支持するための照明装置支持部４０，４１に支持されて照明装置収容部３８の上下各々に配置されている。また、上側に設けられた照明装置支持部４０は、下パネル１４３のパネル面に対してＬＥＤ基板４２を若干上方向に傾斜させた状態で支持しており、下側に設けられた照明装置支持部４１は、照明装置収容部３８における下端側に配置され、下パネル１４３を斜め下から照らすようにＬＥＤ基板４２を上方向に傾斜させた状態で支持している（図２６参照）。なお、照明装置としてＬＥＤ基板４２を用いて構成したがこれに限らず、例えば、蛍光灯などから構成される照明装置でもよく、蛍光灯を照明装置支持部４０，４１に支持させた状態で照明装置収容部３８に収容する構成であってもよい。
【００２３】
照明装置収容部３８の下方であって、バリア下３７の下端部側には、図１４に示すように、スピーカ４７をバリア下３７に装着するため、スピーカ４７を収容する凹部（以下、スピーカ収容凹部という）４５，４６がそれぞれ左右に設けられている。ここで、バリア下３７に装着される（スピーカ収容凹部４５，４６に収容される）スピーカ４７は、前面が楕円状に形成されたいわゆるコーン型スピーカであり、主に磁気回路体４９、該磁気回路体４９に結合されるスピーカフレーム５０、及び該スピーカフレーム５０内に配置される振動板（いわゆるコーン紙）５１などを有して構成されている。
【００２４】
磁気回路体４９は、図示しないボイスコイル、マグネット、及びヨークなどを有して構成されており、その外形は略円柱状に形成されている。また、スピーカフレーム５０は、略円錐形状に形成されている。そして、振動板５１は、その周縁がスピーカフレーム５０に支持されてスピーカフレーム５０内に配置されており、スピーカフレーム５０には、振動板５１による背圧（音）を抜くための音抜け孔５２が複数形成されている。さらに、スピーカフレーム５０の開口側には、スピーカ４７をバリア下３７（スピーカ収容凹部４５，４６）に固定するためのフランジ部であるスピーカフランジ５３が設けられており、該スピーカフランジ５３には、スピーカ４７を固定するための固定孔である４つのフランジ孔５５が設けられている。また、スピーカフランジ５３のフランジ面には、図１３及び図１４に示すように、スピーカフレーム５０の開口縁に沿うようにしてガスケット５６が取り付けられている。
【００２５】
左右のスピーカ収容凹部４５，４６は、図１２に示すように、スピーカフレーム５０を覆うようにして支持するスピーカフレーム支持部（以下、単にフレーム支持部という）５７を有しており、該フレーム支持部５７には、音抜け孔５２の後方を覆う音抜け孔被覆部５８が設けられている。該フレーム支持部５７は、バリア面に楕円形状に開口された開口縁から後方に向かって突き出るように形成されていると共に、その内部空間は、スピーカフレーム５０を支持するためスピーカフレーム５０と同じく略円錐状に形成されている。また、フレーム支持部５７の頂点部（先端部）には、スピーカの磁気回路体４９が嵌合する磁気回路体嵌合部６３が設けられており、該磁気回路体嵌合部６３は、磁気回路体４９の形状に合わせて円柱状に開口されている。
【００２６】
さらに、フレーム支持部５７には、スピーカ４７内の空気を吸排気するための開口部（以下、支持部開口部という）６５が複数設けられており、該支持部開口部６５は、フレーム支持部５７に支持されたスピーカ４７の音抜け孔被覆部５８が設けられた以外の部位に設けられている。即ち、スピーカ４７をスピーカ収容凹部４５，４６に収容した際に、前方から見て音抜け孔５２と支持部開口部６５とが重ならないようにそれぞれズレた位置になるように設けられている。
【００２７】
また、音抜け孔５２を覆う音抜け孔被覆部５８には、階段状に形成されたフレーム支持部凸部６６が設けられている。該フレーム支持部凸部６６には、音抜け孔５２と連通する連通孔６８が設けられており、該連通孔６８は、スピーカ４７をスピーカ収容凹部４５，４６に装着する方向（前後方向）と交差する方向（即ち、側板６、７側に向かう横方向）に向かってに開口されている（図４及び図１０参照）。そして、スピーカ４７をスピーカ収容凹部４５，４６に装着した際、これら連通孔６８からスピーカ４７内に空気が取り込まれるようになっている。但し、振動板５１を突き抜けて音抜け孔５２から棒材（例えば針金Ｗなど）を差し込んだとしても、連通孔６８が前後方向に対して直交している（交差している）ので、連通孔６８から針金Ｗなどが筐体２の内部への侵入を抑えることが可能である。
【００２８】
スピーカ収容凹部４５，４６は、図１３及び図１４に示すように、スピーカ４７をスピーカ収容凹部４５，４６に収容した際に、スピーカフランジ５３が嵌合するスピーカフランジ嵌合部（以下、単に、フランジ嵌合部という）５９，６０を有しており、該フランジ嵌合部５９，６０は、バリア面に楕円形状に開口された開口面（フレーム支持部５７）を囲うようにして正面視で略矩形状に形成されていると共に、後方側に窪むようにして形成されている。
【００２９】
また、フランジ嵌合部５９，６０には、フランジ孔５５と嵌合するスピーカフランジ嵌合部凸部（以下、単に、フランジ嵌合部凸部という）６１及びスピーカフランジ５３をバリア下に固定するためのフランジ固定孔６２が複数設けられている。フランジ嵌合部凸部６１は、フランジ嵌合部５９，６０（即ち、バリア面から）から前方に向かって突き出るようにして設けられており、また、フランジ固定孔６２は、フランジ嵌合部５９，６０から後方に向かってそのネジ穴が形成されている。
【００３０】
各フランジ嵌合部凸部６１及び各フランジ固定孔６２は、フランジ嵌合部５９，６０の各角部側に設けられている。具体的には、バリア面上において、その左側に設けられたスピーカ収容凹部４５が有するフランジ嵌合部（以下、左フランジ嵌合部という）５９にあっては、図１３に示すように、正面側から見て４つの角部のうち、左上の角部側及び右下の角部側にフランジ嵌合部凸部６１ａ，６１ｂが設けられており、また４つの角部のうちの右上の角部側及び左下の角部側には、フランジ固定孔６２ａ，６２ｂが各々設けられている。即ち、フランジ嵌合部凸部６１ａ，６１ｂは、左フランジ嵌合部５９において対角線上に配置されており、バリア面に楕円形状に形成されたフレーム支持部５７の開口面を挟むように対向配置されている。
【００３１】
また、フランジ固定孔６２ａ，６２ｂも同様に、左フランジ嵌合部５９において、フレーム支持部５７であるバリア面に楕円形状に形成された開口面を挟むようにして、対角線上に対向配置されている。そして、フランジ嵌合部凸部６１は、図１４に示すように、スピーカ収容凹部４５，４６にスピーカ４７を取付けた際に、２つのフランジ嵌合部凸部６１ａ，６１ｂ間を結ぶ左フランジ嵌合部５９上（即ち、バリア面上）の直線がスピーカ４７のスピーカ面の中心部（センターキャップ４８の中心付近）を通過するように配置されている。なお、ここでスピーカ面とは、振動板５１の前面側であって、スピーカ４７をスピーカ収容凹部４５，４６に取付ける際の取付け方向であるバリア面の前後方向と交差するスピーカフレーム５０の開口面である。
【００３２】
また、フランジ固定孔６２にあっても同様に、２つのフランジ固定孔６２ａ，６２ｂを結ぶ左フランジ嵌合部５９上の直線がスピーカ４７の中心部を通過するように配置されている。そして、そのフランジ嵌合部凸部６１ａ，６１ｂ同士間を結ぶ直線とフランジ固定孔６２ａ，６２ｂ同士間を結ぶ直線とがスピーカ面の中心部で交差するようになっている。
【００３３】
また、バリア面において、その右側に設けられたスピーカ収容凹部４５が有するフランジ嵌合部（以下、右フランジ嵌合部という）６０においても同様にして、４つの角部のうちの右上の角部側及び左下の角部側にフランジ嵌合部凸部６１ｃ，６１ｄが設けられており、４つの角部のうちの左上の角部側及び右下の角部側にフランジ固定孔６２ｃ，６２ｄが各々設けられている。そして、フランジ嵌合部凸部６１ｃ，６１ｄ及びフランジ固定孔６２ｃ，６２ｄの各々は、バリア面に楕円形状に形成されたフレーム支持部５７の開口面を挟むようにして、対角線上に対向配置されており、フランジ嵌合部凸部６１ｃ，６１ｄ間を結ぶ右フランジ嵌合部６０上における直線及びフランジ固定孔６２ｃ，６２ｄ間を結ぶ右フランジ嵌合部６０上における直線は、スピーカ面の中心部付近で交差するようになっている。
【００３４】
バリア面であって、左右のスピーカ収容凹部４５，４６の間には、後述するメダル受け皿１０７にメダルを払い出すための払出口（以下、バリア下払出口という）６７が矩形状に設けられている。また、バリア下３７の裏側面であって、スピーカ収容凹部４５，４６の上方側には、バリア下払出口６７にメダルを搬送するメダル搬送路６９がバリア下払出口６７から上方に向かって延設されている。
【００３５】
バリア下３７には、バリア下３７からキャビネット３９の方向に差し込むネジによってキャビネット３９をバリア下３７に固定するためのバリア下固定孔７０が複数設けられている（図５参照）。そして、複数設けられたバリア下固定孔７０の内の１つは、メダル搬送路６９の下方であって、左右のスピーカ収容凹部４５，４６の間に設けられている（以下、第１バリア下固定孔７０ａという）。具体的には、第１バリア下固定孔７０ａは、左フランジ嵌合部５９における右下の角部側に設けられたフランジ嵌合部凸部６１ｂ及び右フランジ嵌合部６０における左下の角部側に設けられたフランジ嵌合部凸部６１ｄのそれぞれと近接するように、それら２つのフランジ嵌合部凸部６１ｂ，６１ｄの中間の位置に設けられている。
【００３６】
また、左側に設けられたスピーカ収容凹部４５よりも外方側であって、スピーカ収容凹部４５とバリア下３７の側端部との間にもバリア下固定孔（以下、第２バリア固定下孔という）７０ｂが設けられており、さらには、右側に設けられたスピーカ収容凹部４６よりも外方側であって、スピーカ収容凹部４６とバリア下３７の側端部との間にもバリア下固定孔（以下、第３バリア下固定孔という）７０ｃがそれぞれ設けられている。より具体的には、第２バリア下固定孔７０ｂは、左フランジ嵌合部５９における左上の角部側に設けられたフランジ嵌合部凸部６１ａ寄りに設けられている。即ち、第２バリア下固定孔７０ｂは、フランジ嵌合部凸部６１ａに近接するようにして設けられており、第３バリア下固定孔７０ｃにあっては、右フランジ嵌合部６０における右上の角部側に設けられたフランジ嵌合部凸部６１ｃに近接するように、そのフランジ嵌合部凸部６１ｃ寄りに設けられている。そして、第１、第２及び第３バリア下固定孔７０ａ，７０ｂ，７０ｃは、それぞれフランジ嵌合部凸部６１に近接させるように設けたのに伴い、後述するキャビネット３９をバリア下３７に固定した際にスピーカフランジ５３に当接するスピーカグリルボス部１１６の各々と近接するように設けられている。
【００３７】
また、第２バリア下固定孔７０ｂ及び第３バリア下固定孔７０ｃは、第１バリア下固定孔７０ａに対して、スピーカ収容凹部４５，４６を挟むようにして対向するように設けられており、この第１バリア下固定孔７０ａと第２バリア下固定孔７０ｂとを結ぶバリア下３７の裏側面上における直線及び第１バリア下固定孔７０ａと第３バリア下固定孔７０ｃとを結ぶバリア下３７の裏側面上における直線は、上述のフランジ嵌合部５９，６０の角部側に設けられた２つのフランジ固定孔６２間を結ぶバリア面上における直線と互いに交差するように設けられている（図５参照）。
【００３８】
また、この第２バリア下固定孔７０ｂと第１バリア下固定孔７０ａ及び第３バリア下固定孔７０ｃと第１バリア下固定孔７０ａとを結ぶ直線は、フランジ嵌合部５９，６０の角部側に設けられた２つのフランジ嵌合部凸部６１間を結ぶ直線とも交差する（図５参照）。しかし、これらバリア下固定孔７０（７０ａ，７０ｂ，７０ｃ）間を結ぶ直線は、フランジ嵌合部凸部６１間を結ぶ直線と交差こそするものの、フランジ固定孔６２間を結ぶ直線とは異なり、フランジ嵌合部凸部６１間を結ぶ直線と略同一方向に向かってのびている。つまりは、バリア下固定孔７０がフランジ嵌合部凸部６１に近接した位置に設けられていればよく、バリア下固定孔７０（７０ａ，７０ｂ，７０ｃ）間を結ぶ直線が、フランジ嵌合部凸部６１間を結ぶ直線と交差しなくてもよい。
【００３９】
そして、２つのフランジ固定孔６２にスピーカ固定ネジ１６７を螺合することでスピーカ４７をバリア下３７に固定し、また第１、第２、及び第３バリア下固定孔７０ａ，７０ｂ，７０ｃのそれぞれに扉固定部材であるキャビネット固定ネジ１６９を螺合して、バリア下３７にキャビネット３９を固定する。すると、キャビネット３９をバリア下３７に固定した際のバリア下３７上におけるスピーカ固定ネジ１６７間を結ぶ直線に対してキャビネット固定ネジ１６９間を結ぶ直線が交差するようになっている（図５参照）。
【００４０】
一方、キャビネット３９には、図１５に示すように、複数のバリア下固定孔７０に対応する位置各々にキャビネット固定孔７４が設けられており、バリア下３７にキャビネット３９を取付けた際に、バリア下固定孔７０とキャビネット固定孔７４とが合致するように配設されている。
【００４１】
また、上述のメダル搬送路６９は、複数の屈曲部を有して形成されおり、その上方側には、後述するメダル投入口１２７から投入されたメダルを検知するメダルセレクタ７１が設けられている。該メダルセレクタ７１の隣には、メダル投入口１２７から投入されたメダルをホッパーユニット１１に搬送するメダルシュート７２が設けられており、該メダルシュート７２の上方には、後述するコネクタ保持部１３０に対応して設けられたバリア下開口部７３（図５参照）が矩形状に開口されている。該バリア下開口部７３の隣には、下部基板である中継基板（ここで、中継基板とは、後述するスタートレバー１１９、ストップボタン１２０、ＭＡＸＢＥＴボタン１２１などの各種操作スイッチからの信号を主制御基板（不図示）などに送る基板のことである）７５をバリア下に取付ける基板取付部７６が設けられている。
【００４２】
基板取付部７６は、バリア下３７の裏側面から突出して設けられており、正面視で略矩形状に形成されている。また、基板取付部７６の中央部には、矩形状の凹部７７が形成されており、この凹部７７が中継基板７５を収容する基板収容部７７を構成している。また、基板取付部７６には、後述する基板カバー８３を封印するための封印部材９５が挿入される封印部７９が設けられていると共に、バリア下固定孔７０（７０ｄ）が設けられている（図６参照）。
【００４３】
また、中継基板７５は、矩形状に形成されており、その左右両端側及び上端側には、ワイヤーハーネス８０に設けられたコネクタ８１を接続するためのコネクタ接続部である受け側コネクタ８２がコネクタ８１に対応するように複数設けられている。そして、該受け側コネクタ８２にコネクタ８１が接続されることで、中継基板７５は、他の装置や部材とワイヤーハーネス８０を介して接続されるように構成されている。
【００４４】
基板収容部７７に収容された中継基板７５は、基板取付部７６に固定される基板カバー８３に覆われて保護される（図５及び図６参照）。基板カバー８３は、中継基板７５を保護するカバー本体部８５を有しており、該カバー本体部８５は、正面視で略矩形状に形成されている。カバー本体部８５には、カバー本体部８５を基板取付部７６に固定する、カバー固定部８６が設けられており、該カバー固定部８６は、カバー本体部８５から突出するようにして設けられている。また、カバー固定部８６は、カバー本体部８５と同様に正面視で略矩形状に形成されており、その先端部側には、カバー本体部８５を前記基板取付部７６に固定するカバー固定ネジ８７を挿入させるためのカバー固定ネジ孔８９が設けられている。さらに、カバー本体部８５には、基板カバー８３を基板取付部に取付けた際に、バリア下固定孔７０ｄに螺合されたキャビネット固定ネジ１６９を操作できないように（固定の解除ができないように）覆う被服部である、カバー被覆部８８が設けられている（図６参照）。
【００４５】
また、カバー本体部８５には、中継基板７５を保護した際に受け側コネクタ８２に接続されたコネクタ８１のコネクタ面８１ａに当接する、当接部であるカバー凸部９０，９１がカバー本体部８５のカバー面上のそれぞれ左右に設けられている。なおここで、コネクタ８１のコネクタ面とは、コネクタ８１を受け側コネクタ８２に接続する際に、抜き差しする方向、即ち、受け側コネクタ８２の前後方向と交差する（直交する）面であって、カバー凸部９０，９１が当接するのは、ワイヤーハーネス８０のケーブルが接続された側のコネクタ面８１ａである（図７参照）。
【００４６】
この左右のカバー凸部９０，９１は、コネクタ８１のコネクタ面８０ａと当接するその当接面９０ａ，９１ａがコネクタ８１の抜き差し方向に向かって突出するように設けられている。即ち、当接面９０ａ，９１ａが中継基板７５側に向かって突出するように、カバー凸部９０，９１自体が中継基板７５に向かって突起するように形成されている。そして、カバー本体部８５で中継基板７５を覆った際に、カバー凸部９０，９１が中継基板７５の左右両端側に設けられた受け側コネクタ８２の手前に位置し、かつ受け側コネクタ８２と接続状態にあるコネクタ８１のコネクタ面８１ａに、その先端である当接面９０ａ，９１ａが当接するようにそれぞれ配設されている。
【００４７】
また、左右のカバー凸部９０，９１の間であって、カバー本体部８５の略中央部には、中継基板７５側に向かって窪む、窪み部９２が設けられており、該窪み部９２の下側の壁部９３には、封印部材９５を挿入するための封印部材挿入孔９４が設けられている（図６参照）。そして、基板カバー８３は、カバー本体部８５を基板取付部７６に固定した際に、カバー本体部８５及び基板取付部７６を貫くようにして封印部材９５を取付けることができる。即ち、封印部材９５を封印部材挿入孔９４から挿入し、封印部材９５が封印部７９に到達するようにして装着することで、カバー本体部８５を封印状態で基板取付部７６に固定することができるように構成されている。
【００４８】
封印部材９５は、タブ部９６と矢尻部９７とから構成されており（図６参照）、基板カバー８３の封印解除に伴い、タブ部分９６と矢尻部分９７とが分離し、封印部材９５が破壊される構成となっている。
【００４９】
また、カバー本体部８５には、正面視で矩形状に形成されたカバー開口部９９が設けられており、該カバー開口部９９は、中継基板７５に設けられた封印対象外の受け側コネクタ８２に対応する位置に設けられている。そして、基板カバー８３が封印状態で基板取付部７６に固定されても、封印対象外の受け側コネクタ８２については、カバー開口部９９からコネクタ８１を着脱することができるように構成されている。
【００５０】
さらに、バリア下３７は、キャビネット３９がバリア下３７に取付けられた際に（またはキャビネット３９にバリア下３７を取付けた際に）、キャビネット３９自体の強度を向上させる機能を有して構成されている。即ち、バリア下３７は、キャビネット３９の強度を高める補強部材としての機能を有して構成されている。
【００５１】
［キャビネットの構成］
バリア下３７に固定されるキャビネット３９は、バリア下３７と同じく正面視で矩形状に形成されている。キャビネット３９の左右両側には、バリア下３７に固定された際、バリア下３７の左右の側方を覆う左右の側板１００，１０１が設けられており、該左右の側板１００，１０１は、図１２及び図１３に示すように、キャビネット３９の表側面（以下、単にキャビネット面という）から直交する後方に向かって延設されている。また、キャビネット３９の上側には、バリア下３７に固定された際に、バリア下３７の上方を覆う天板１０３が設けられている。そして、該天板１０３は、図１７に示すように、キャビネット面から後方向かって延設されていると共に、後述するジョグダイヤル１２２を取付けるための取付け孔１０４などが設けられている。
【００５２】
また、キャビネット面には、図１６に示すように、正面視で矩形状に開口された開口部であるキャビネット開口部１０５が設けられている。該キャビネット開口部１０５には、キャビネット開口部１０５と同一形状に形成された下パネル１４３が着脱自在に取付けられるようになっており、この下パネル１４３によってキャビネット開口部１０５が塞がれる構成となっている。また、キャビネット開口部１０５の下方であって、キャビネット３９の下端側には、バリア下払出口６７から払い出されるメダルをメダル受け皿１０７払い出すための払出口（以下、キャビネット払出口という）１０８が設けられている。また、該キャビネット払出口１０８は、バリア下払出口６７と同一の形状に形成されていると共に、バリア下払出口６７に対応する位置に設けられている。即ち、キャビネット払出口１０８は、キャビネット３９をバリア下３７に固定した際に、バリア下払出口６７と一体となって（重なりあって）スロットマシン１からメダルを払い出すための払出口を構成するように設けられている（図３参照）。
【００５３】
さらに、キャビネット３９の下端部には、図１７に示すように、遊技の進行に伴い、キャビネット払出口１０８から払い出されるメダルを溜めておくためのメダル受け皿１０７が設けられている。該メダル受け皿１０７は、キャビネット払出口１０８に面するように設けられると共に、キャビネット面から前方に向かって突出するように設けられており、その左側には、ユーザー（遊技者）が吸ったタバコの吸い殻などを溜めておくための灰皿１０９が設けられている。
【００５４】
また、メダル受け皿１０７が設けられたキャビネット３９の下端側には、スピーカ収容凹部４５，４６に収容されたスピーカ４７の正面側（スピーカ面）を覆うスピーカグリル部１１０が設けられている。該スピーカグリル部１１０は、図１５及び図１６に示すように、キャビネット３９に設けられた複数のスピーカ孔１１１及びキャビネット３９の裏側面に配置されるスピーカグリルプレート１１５などを有して構成されており、該スピーカグリルプレート１１５には、スピーカ孔１１１の配置に合わせて楕円形状に開口された左右のプレート開口部１１２，１１３が設けられている。
【００５５】
スピーカグリルプレート１１５には、キャビネット３９をバリア下３７に固定した際に、先端部がスピーカフランジ５３に当接する、突起部であるスピーカグリルボス部１１６が複数設けられている。該スピーカグリルボス部１１６は、キャビネット３９をバリア下３７に固定した際に、スピーカグリルプレート１１５のプレート面からスピーカ収容凹部４５，４６に向かって突出するようにして設けられており、それぞれ左右のプレート開口部１１２，１１３の開口縁の近傍に設けられている。
【００５６】
遊技者側からみて、左側のプレート開口部１１２の開口縁の近傍に設けられたスピーカグリルボス部１１６にあっては、図１２及び図１６に示すように、プレート開口部１１２の中心に対して、左斜め上方及び右斜め下方にそれぞれ設けられており、プレート開口部１１２を挟むように対向して配置されている。また、右側のプレート開口部１１３の開口縁の近傍に設けられたスピーカボス部１１６についても同様に、プレート開口部１１３の中心に対して、右斜め上方及び左斜め下方にそれぞれ設けられており、プレート開口部１１３を挟むように対向して配置されている。即ち、スピーカグリルボス部１１６は、フランジ嵌合部５９，６０に設けられたフランジ嵌合部凸部６１に対応する位置に設けられている。そして、スピーカグリルボス部１１６は、その先端がスピーカフランジ５３に当接した際に、スピーカ収容凹部４５，４６に収容されたスピーカ面であるスピーカフレーム５３の開口面を挟んで対向するようにして配置されており、対向配置された２つのスピーカグリルボス部１１６間を結ぶ直線（つまりは、スピーカグリルボス部１１６がスピーカフランジ５３に当接した際における、その当接位置間を結ぶバリア面上における直線）は、スピーカ面の中心部を通過すると共に、フランジ固定孔６２に挿入されたスピーカ固定ネジ１６７間を結ぶ直線（即ち、対角線上に対向配置された２つのフランジ固定孔６２同士間を結ぶ直線）と交差している。
【００５７】
また、キャビネット面の上方側には、スロットマシン１における遊技の進行に用いるための操作部１１７が設けられており、該操作部１１７は、主に、回転リールの回転を開始させるスタートレバー１１９、回転リール１６を停止させるストップボタン１２０、クレジット内メダルについて３枚掛けを行うＭＡＸＢＥＴボタン１２１、及び例えば、液晶表示装置などに表示されたアイコンなど操作するジョグダイヤル１２２などの各種スイッチから構成されている。
【００５８】
ストップボタン１２０は、キャビネット開口部１０５の上方であって、キャビネット面の左右幅方向における略中央付近に配置されており、左回転リール１９を停止させる第１ストップボタン１２３、中回転リール２０を停止させる第２ストップボタン１２４、及び右回転リール２１を停止させる第３ストップボタン１２５の各３つのボタンから構成されている（図１３参照）。スタートレバー１１９は、第１ストップボタンの左側方で上下方向に揺動自在に配設されている。また、ＭＡＸＢＥＴボタン１２１及びジョグダイヤル１２２は、スタートレバー１１９及びストップボタン１２０の上方であって、キャビネット３９の天板１０３に装着されており、さらに、ジョグダイヤル１２２の隣には、メダルを投入するためのメダル投入口１２７が設けられている。
【００５９】
また、キャビネット３９に装着された各種操作スイッチ（スタートレバー１１９，ストップボタン１２０，ＭＡＸＢＥＴボタン１２１，ジョグダイヤル１２２など）には、図１６に示すように、各操作スイッチ１１９，１２０，１２１，１２２を各種基板などに接続するための接続部１１９ａ，１２０ａ，１２１ａ，１２２ａが設けられている。これら接続部１１９ａ，１２０ａ，１２１ａ，１２２ａは、各操作スイッチ１１９，１２０，１２１，１２２に配置される基板（不図示）などで構成されており、その接続部を構成する基板は、各操作スイッチ１１９，１２０，１２１，１２２をキャビネット３９に取付ける際の取付け孔に差し込む方向に設けられている。即ち、各操作スイッチ１１９，１２０，１２１，１２２をキャビネット３９に装着した際に、接続部１１９ａ，１２０ａ，１２１ａ，１２２ａがキャビネット３９の内側（下扉２７内）に位置するように設けられている。そして、接続部を構成する基板に設けられた受け側コネクタなどに、ワイヤーハーネス８０の一端側に設けられたコネクタ８１を差し込み、各種基板の受け側コネクタなどに、ワイヤーハーネス８０の他端側に設けられたコネクタ８１を差し込むことで、各操作スイッチ１１９，１２０，１２１，１２２は、ワイヤーハーネス８０を介して各種基板と電気的に接続される構成となっている。
【００６０】
各種操作スイッチ１１９，１２０，１２１，１２２の接続部１１９ａ，１２０ａ，１２１ａ，１２２ａの近傍であって、キャビネット３９の裏側面には、図１６に示すように、コネクタ８１を保持するコネクタ保持部１３０が設けられており、該コネクタ保持部１３０は、キャビネット３９の裏面側からバリア下３７に向かって突出するように設けられた３つのボス部材１３１ａ，１３１ｂ，１３１ｃから構成されている。そして、それら３つのボス部材１３１ａ，１３１ｂ，１３１ｃの内、２つのボス部材１３１ａ，１３１ｂは、キャビネット開口部１０５の上方であって、キャビネット３９の左右幅方向における略中央付近に並ぶようにして配置されており、１つのボス部材１３１ｃは、それら２つのボス部材１３１ａ，１３１ｂの上方であって、かつ２つのボス部材１３１ａ，１３１ｂの間に配置されている。即ち、３本のボス部材１３１ａ，１３１ｂ，１３１ｃは、三角形状に配置されている。
【００６１】
また、コネクタ保持部１３０の側方であって、キャビネット開口部１０５と各種操作スイッチ１１９，１２０，１２１，１２２との間には、ワイヤーハーネス８０を収納するためのスペースが設けられており、このスペースがコネクタ８１をコネクタ保持部１３０に保持させた際に、余分なワイヤーハーネス８０を収納させておくハーネス収納部１３２を構成している。
【００６２】
ハーネス収納部１３２には、収納したワイヤーハーネス８０を固定するハーネス固定部１３３が設けられている。該ハーネス固定部１３３は、鉤状（フック状）に形成されており、ワイヤーハーネス８０をハーネス収容部１３２に収納した際には、収容したワイヤーハーネス（ハーネス）８０をこのハーネス固定部１３３に引っ掛けて固定することによって、ワイヤーハーネス８０がハーネス収納部１３２から飛び出てしまうことを防止するように構成されている。また、ハーネス収容部１３２には、ワイヤーハーネス８０を収容した際のワイヤーハーネス８０の位置をハーネス収容部１３２内に位置決めするためのハーネス収容部ボス部１３５が設けられており（図１６参照）、該ハーネス収容部ボス部１３５は、ハーネス固定部１３３と対向するように設けられている。なお、ハーネス固定部１３３を鉤状に形成したがこれに限らず、ワイヤーハーネス８０をハーネス収容部１３２内に固定し得るものであれば何れのものでもよく、例えば、クリップ状に形成してもよい。
【００６３】
また、キャビネット開口部１０５の縁部（開口縁部）１３６には、図１６に示す下パネル１４３がキャビネット開口部１０５に取付けられた際、下パネル１４３に設けられた後述する上側フック１５３が係止する（フックする）、第１被係止部である２つの上側フック受け１３７が設けられている。該上側フック受け１３７は、キャビネット開口部１０５の上辺側であって、その左右の隅部にそれぞれ設けられており、開口縁部１３６から下方に向かって突出する開口縁部突起部１３９に矩形状の開口部１４０が形成されて構成されている。
【００６４】
また、左右の上側フック受け１３７の間であって、開口縁部１３６の上辺側略中央付近には、図１８に示すパネル側フック１５９が係止する（フックする）、第３被係止部であるスライドフック１４１が設けられており、該スライドフック１４１は、開口縁部１３６に沿って移動し得るようにスライド可能に設けられている。さらに、上側フック受け１３７の下方側であって、キャビネット開口部１０５の下辺側には、後述する下側フック１５０がフックする下側フック受け１４２が複数設けられている（図１７参照）。
【００６５】
［下パネルの構成］
キャビネット開口部１０５に取付けられる下パネル１４３は、図１８に示すように、下パネル１４３の正面側を構成する、前パネル部である前ケース１４５と下パネル１４３の背面側を構成する、後パネル部である後ケース１４６とからなる２分割構造で構成されている。これら２つのケース１４５，１４６を重ね合わせるようにして一体化させることで下パネル１４３を形成するように構成されており、下パネル１４３内には、前ケース１４５及び後ケース１４６に挟まれるようにして、スロットマシン１の遊技内容やキャラクターなどを表示した表示シート１４７が収容されるように構成されている。
【００６６】
前ケース１４５の上辺側には、図１８及び図１９に示すように、前ケース１４５と後ケース１４６とを重ね合わせた際に、後ケース１４６にフックする２つの前ケース上側フック１４９が左右に設けられている。また、前ケース１４５の下辺側には、下パネル１４３をキャビネット開口部１０５に取り付けた際に、下側フック受け１４２にフック（嵌る）する、前突起部である４つの下側フック１５０が設けられており、これら各下側フック１５０には、正面視で略矩形状に開口された下側フック開口部１５１がそれぞれ設けられている。さらに、下側フック１５０には、図２０に示すように、後述する後ケース突起部１５２の爪部がフックする（嵌る）ための溝部１５０ａが設けられている。この溝部１５０ａは、下側フック開口部１５１側に設けられており、矩形状に形成された下側フック開口部１５１の下辺に沿うようにして設けられている。
【００６７】
また、後ケース１４６の下辺側には、図１９及び図２１に示すように、下側フック開口部１５１に係止する（嵌る）、後突起部である４つの後ケース突起部１５２が設けられており、これら後ケース突起部１５２は、下側フック１５０に対応する位置（前ケース１４５と後ケース１４６とを重ね合わせた際、下側フック１５０の位置と同じ位置）にそれぞれ設けられている。さらに後ケース突起部１５２には、下側フック１５０に設けられた溝部１５０ａにフックする爪部１５２ａが設けられており、この爪部１５２ａは、後ケース突起部１５２の先端側から後ケース突起部１５２を下側フックに嵌め込む方向に向かって延設されている。
【００６８】
そして、後ケース突起部１５２の爪部１５２ａが下側フック１５０の溝部１５０ａに嵌るのに伴い、図２２に示すように、後ケース突起部１５２が下側フック開口部１５１に嵌合する（即ち、下側フックと後ケース突起部１５２とが互いに係止しあった状態となる）。このように、下側フック１５０と後ケース突起部１５２とが一体化することで、下パネル１４２の下辺側をキャビネット開口部１０５に取付けるための第２係止部１５４が形成されるように構成されている。
【００６９】
後ケース１４６の上辺側であって、その左右両側には、上側フック受け１３７にフックする、第１係止部である上側フック１５３が設けられており、該上側フック１５３は、後ケース１４６から後方に（下パネル１４３をキャビネット開口部１０５に取付ける方向に）向かって延設されている。
【００７０】
また、上側フック１５３は、図１８に示すように、平板状に形成されたフック本体部１５５と該フック本体部１５５に設けられた係止突起部１５６とを有して構成されている。そして、係止突起部１５６は、下面で係止するように側面視で半矢羽根状に形成され、かつ上側フック１５３が上側フック受け１３７にフックした際に、フック本体部１５５から下パネル（後ケース１４６）１４３の内方側に向かってその尖った先端が突出するように設けられている（図２５参照）。また、後ケース１４６のケース面であって、上側フック１５３の下側は、矩形状に開口されており、その開口された縁部を囲うようにして、補強リブ１５７が設けられている。
【００７１】
さらに、後ケース１４６の上辺側であって、その略中央付近には、第３係止部であるパネル側フック１５９が設けられている。該パネル側フック１５９は、後ケース１４６から後方に（下パネル１４３をキャビネット開口部１０５に取付ける方向に）向かって延設されており、その先端部が屈曲されて平面視で略鉤状に形成されている。そして、このパネル側フック１５９はキャビネット開口部１０５に設けたスライドフック１４１が係止する（フックする）ように形成されている。
【００７２】
［ジョグダイヤルの構成］
また、キャビネット３９に装着される、操作スイッチであるジョグダイヤル１２２は、図２３に示すように、略円柱状に形成されたジョグダイヤル本体部１６０及び該ジョグダイヤル本体部１６０の上方に回転自在に配置されると共に、略円盤状に形成されたジョグダイヤル操作部１６１を有して構成されている。
【００７３】
ジョグダイヤル本体部１６０の正面側（ジョグダイヤル１２２をキャビネット３９に取り付けた際にキャビネット３９の裏側面（キャビネット面の反対側の面）に面する側）には、ジョグダイヤル本体部１６０をキャビネット３９の取付け位置である取付け孔１０４に位置決めする、位置決め部である前側フック１６２が設けられており、その反対側であるジョグダイヤル本体部１６０の背面側（ジョグダイヤル１２２をキャビネット３９に取り付けた際にバリア面に面する側）には、前記前側フック１６２によって取付け孔１０４に位置決めされたジョグダイヤル本体部１６０をキャビネット３９に仮止め（仮固定）する、仮固定部である後側フック１６３が設けられている。
【００７４】
前側フック１６２はジョグダイヤル本体部１６０から前方に向かって突起するように設けられており、後側フック１６３は、ジョグダイヤル本体部１６０から上方に向かって延設されており、かつ可撓性を有して設けられている。また、ジョグダイヤル本体部１６０の背面側であって、後側フック１６３の下方には、図２４に示すように、操作スイッチ被係止部である２つのジョグダイヤル凹部１６５が左右に並ぶようにして２つ設けられている。
【００７５】
これら２つのジョグダイヤル凹部１６５は、ジョグダイヤル１２２を取付け孔１０４に差し込む方向と交差する方向に向かって窪んでいる。即ち、ジョグダイヤル１２２をキャビネット２９に取付けた際に、ジョグダイヤルの本体部１６０からキャビネット面に向かって窪んでいる。また、バリア下３９のバリア面には、ジョグダイヤル１２２を装着した状態でキャビネット３９をバリア下３７に固定した際に、ジョグダイヤル凹部１６５に係止する（嵌合する）、基体係止部である２つのバリア下凸部１６６が設けられている。
【００７６】
これら２つのバリア下凸部１６６は、バリア面上であってジョグダイヤル凹部１２２に対応した位置（キャビネット３９をバリア下に固定した際に、ジョグダイヤル凹部１６５に嵌合し得る位置）に設けられていると共に、ジョグダイヤル凹部１２２と同様にジョグダイヤル１２２を取付け孔１０４に差し込む方向と交差する方向に向かって延設されている。即ち、キャビネット３９をバリア下３７に固定した際、バリア面からキャビネット面に向かって延設されている。
【００７７】
［作用及び効果］
次いで、上述のように構成されたスロットマシン１の組み立てについて説明する。作業者（例えば、工場における作業員あるいはパチンコ店などのホールスタッフなど）は、下パネル１４３をキャビネット開口部１０５に取付けるため、前ケース１４５と後ケース１４６とを重ね合わせるようにして一体化する。この際、下パネル１４３内に表示シート１４７を収容するため、表示シート１４７の表裏を前ケース１４５及び後ケース１４６で挟み込むようにする。
【００７８】
このとき、作業者は、後ケース突起部１５２を下側フック開口部１５１に差し込むようにして嵌合させた後（図２２参照）、後ケース１４６の上辺側を前ケース１４５側に回動させるようにして、前ケース１４５と後ケース１４６とを重ね合わせる。前ケース１４５と後ケース１４６とを重ね合わせることで、前ケース上側フック１４９が後ケース１４６に係止して（フックして）、前後ケース１４５，１４６が一体化して下パネル１４３が形成される。
【００７９】
上述のようにして、形成された下パネル１４３をキャビネット開口部１０５に取付ける際は、下側フック１５０を下側フック受け１４２に差し込むようにして嵌め込んだ後、下パネル１４３の上辺側をキャビネット開口部１０５側に向かって回動させる。下パネル１４３を回動させると、上側フック１５３は、図２５に示すように、上側フック受け１３７の開口部１４０内に侵入する。そして、係止突起部１５６の尖った先端が下パネル１４３の内方側に向かって突起した状態（即ち、キャビネット開口部１０５と下パネル１４３との間に挿入される針金Ｗによって押される方向に突起した状態）で、上側フック受け１３７にフックすると共に、下パネル１４３がキャビネット開口部１０５を塞いだ状態でキャビネット３９に取付けられる。なお、下パネル１４３をキャビネット開口部１０５から取外す際には、上側フック受け１３７に対する上側フック１５３のフックを解除させる必要があり、その解除は、上側フック受け１３７に対して係止突起部１５６を押し上げるようにして上側フック１５３を反らせることで行われる。
【００８０】
また、下パネル１４３がキャビネット開口部１０５に取付けられた際に、作業者がスライドフック１４１をスライドさせてパネル側フック１５９をスライドフック１４１に係止させる（フックさせる）と、パネル下１４３がキャビネット面から取外すことができなくなるようになる（図１６参照）。即ち、キャビネット３９の裏側面からスライドフック１４１をスライドさせて、パネル側フック１５９のスライドフック１４１とのフック状態を解除しない限り、下パネルをキャビネット開口部１０５から取外すことができなくなる状態となる。
【００８１】
そして、下パネル１４３がキャビネット開口部１０５に取付けられると、下パネル１４３内に収容された表示シート１４７は、発光体支持部４０，４１に支持されたＬＥＤ基板４２によって照らされる。なお、この際、下パネル（後ケース１４６）１４３のパネル面は、図２６に示すように、このパネル面に対して傾斜するＬＥＤ基板４２によって照らされ、パネル面に設けられた補強リブ１５７及びその周辺は、図２６の矢印Ａに示すように、斜め下側からＬＥＤ基板４２によって照らされる状態となる。
【００８２】
また、作業者がジョグダイヤル１２２をキャビネット３９に取付ける際は、ジョグダイヤル１２２をキャビネット３９の取付け孔１０４に差し込み、前側フック１６２をキャビネット３９の取付け孔１０４の手前側にフックさせた後（図１１参照）、前側フック１６２を支点として後側フック１６３が下方に移動するように、ジョグダイヤル本体部１６０を回動させて取付け孔１０４に嵌め込む。そして、後側フック１６３をキャビネット３９にフックさせて、ジョグダイヤル１２２をキャビネット３９に仮止め状態で取付ける。
【００８３】
さらに、作業者は、キャビネット３９をバリア下３７に取付ける前に、一端側に設けられたコネクタ８１がスタートレバー１１９、ストップボタン１２０、ＭＡＸＢＥＴボタン１２１などの接続部１１９ａ，１２０ａ，１２１ａ，１２２ａに接続されたワイヤーハーネス８０の他端側に設けられたコネクタ８１を、ボス部材１３１ａ，１３１ｂ，１３１ｃ間に挟持させる（コネクタ保持部１３０に保持させる）と共に、ワイヤーハーネス８０をハーネス収容部１３２に収容する（図１６参照）。
【００８４】
一方で、作業者がバリア下３９にスピーカ４７を装着する際は、左右のスピーカ収容凹部４５，４６にスピーカ４７を装着する（図１４参照）。そして、スピーカ４７をスピーカ収容凹部４５，４６に装着する際は、スピーカ４７の背面側を嵌め込むようにしてスピーカ収容凹部４５，４６に収容する。
【００８５】
スピーカ４７がスピーカ収容凹部４５，４６に収容されると、その磁気回路体４９が磁気回路体嵌合部６３に嵌合すると共に、スピーカ４７は、そのスピーカフレーム５０の背面側が覆われるようにしてフレーム支持部５７に支持される。この際、音抜け孔５２と支持部開口部６５とは、互いにズレた状態となる。即ち、音抜け孔５２は、その後方側が音抜け孔被覆部５８で塞がれるようにして覆われると共に、支持部開口部６５は、その前方側がスピーカフレーム５０によって塞がれた状態となる。その際、フレーム支持部凸部６６は、音抜け孔５２に面して位置する状態となる。
【００８６】
また、磁気回路体４９が磁気回路体嵌合部６３に嵌合するまでスピーカ４７をスピーカ収容凹部４５，４６に嵌め込むと、スピーカフランジ５３がフランジ嵌合部５９，６０に嵌合する。その際スピーカフランジ５３のフランジ面は、バリア面から後方側に一段下がった状態となる（図１４参照）。この際、フランジ嵌合部凸部６１がフランジ孔５５に嵌合すると共に、フランジ嵌合部５９，６０に設けられたフランジ固定孔６２とスピーカフランジ５３に設けられたフランジ孔５５とが合致した状態となる。そして、その合致状態にあるフランジ孔５５及びフランジ固定孔６２にスピーカ固定部材であるスピーカ固定ネジ１６７を螺合させる（図１４参照）。
【００８７】
キャビネット３９及びバリア下３７を上述のような状態にした後、作業者がキャビネット裏側面をバリア面に重ね合わせるようにして、キャビネット３９をバリア下３７に配置すると、バリア下固定孔７０とキャビネット固定孔７４との位置が合致した状態となる。そして、作業者は、その合致状態にあるバリア下固定孔７０及びキャビネット固定孔７４にキャビネット固定ネジ１６９を挿入し、螺合させると、キャビネット３９は、バリア面に引き込まれるようにしてバリア下３７に固定される。このキャビネット３９のバリア下３７への固定に伴い、スピーカグリル部（スピーカグリルプレート１１５のプレート面）１１０がバリア下３７のバリア面に接すると同時に、ガスケット５６がスピーカグリルプレート１１５のプレート面と接した状態になる（図１０参照）。また、スピーカ収容凹部４５、４６に収容されたスピーカ４７は、ガスケット５６を介してスピーカグリルプレート１１５と、フレーム支持部５７とに前後方向から挟持された状態でパリア下３７（スピーカ収容凹部４５，４６）に固定される（図９参照）。
【００８８】
また、キャビネット３９は、バリア下３７に取付けられることで、その内側がバリア下３７に支持された状態となる。即ち、キャビネット３９の側板１００，１０１は、バリア下３７の両側辺部３７ａ，３７ｂによって支持され、また、キャビネット３９の天板１０３はバリア下の上辺部３７ｃによって支持され、キャビネット３９の裏面側はバリア下３７のバリア面によって支持されることになる（図３及び図４参照）。そして、キャビネット３９の内側がバリア下３９に支持されるのに伴い、キャビネット３９自体の強度が向上することになる。
【００８９】
スピーカグリルプレート１１５のプレート面がバリア面に接すると、スピーカグリルボス部１１６は、フランジ孔５５に嵌合したフランジ嵌合部凸部６２の先端部と嵌合し、これに伴いスピーカグリルボス部１１６の先端部がスピーカフランジ５３のフランジ面に当接した状態となる（図９参照）。
【００９０】
そして、上述のように、キャビネット固定ネジ１６９によるキャビネット３９のバリア３７への固定に伴い、キャビネット３９がバリア面に引き込まれると共に、スピーカグリルボス部１１６は、スピーカ４７をスピーカ収納凹部４５，４６側へと押し込むようにスピーカフランジ５３のフランジ面を加圧する。このスピーカグリルボス部１１６によるフランジ面への加圧により、スピーカ４７は、振動不可能な状態でスピーカ収容凹部４５，４６に固定される。
【００９１】
さらには、キャビネット３９をバリア下３７に固定することで、各種操作スイッチ１１９，１２０，１２１，１２２の接続部１１９ａ，１２０ａ，１２１ａ，１２２ａや、この接続部１１９ａ，１２０ａ，１２１ａ，１２２ａに接続されたワイヤーハーネス８０がバリア下３７で覆い隠された密閉状態となると同時に、コネクタ保持部１３０がバリア下開口部７３からバリア下３７の裏面側に突出する（図５参照）。これに伴い、コネクタ保持部１３０に保持させたコネクタ８１もバリア下３７の裏側面上に位置するようになり、作業者は、そのコネクタ８１をバリア下３７の裏側面上に引き出すことが可能となる。
【００９２】
また、キャビネット３９をバリア下３７に固定した際に、バリア下凸部１６６がジョグダイヤル凹部１６５に嵌合する（図１１参照）。すると、ジョグダイヤル１２２は、前側フック１６２及び後側フック１６３で着脱容易な状態でキャビネット３９に装着された仮止め状態から、前側フック１６２、後側フック１６３、及びバリア下凸部１６６とジョグダイヤル凹部１６５との嵌合によって、取外し困難な状態でキャビネット３９に装着された固定状態（本止め）となる。
【００９３】
作業者は、コネクタ保持部１３０に保持されたコネクタ８１をバリア下３７裏側面上に引出して、中継基板７５に設けられた受け側コネクタ８２に接続する。その後、作業者は、中継基板７５を覆うようにして、基板カバー８３を基板取付部７６に装着し、カバー固定ネジ８７でカバー本体部８５を基板取付部７６に固定して中継基板７５を保護する。
【００９４】
この基板カバー８３の取付けに伴い、中継基板７５の受け側コネクタ８２に接続されたコネクタ８１及びワイヤーハーネス８０のコネクタ８１側の一部がカバー本体部８５に覆われると共に、受け側コネクタ８２に接続されたコネクタ８１のコネクタ面８１ａにカバー凸部９０，９１の当接面９０ａ，９１ａが当接した状態となる。そして、このカバー凸部９０，９１の当接面９０ａ，９１ａとコネクタ８１のコネクタ面８１ａとの当接に伴い、受け側コネクタ８２と不完全な接続状態のコネクタ８１にあっては（即ち、接触不良の状態）、カバー凸部９０，９１によって受け側コネクタ８２側に押し込まれて、受け側コネクタ８２と完全な接続状態となる。また一方で、受け側コネクタ８２と完全な接続状態にあるコネクタ８１にあっては、カバー凸部９０，９１が当接することによって、その接続状態が解除されないように位置決めされる（図７参照）。
【００９５】
また、基板カバー８３の基板取付部７６への取付けに伴い、基板取付部７６に設けられたバリア下固定孔７０ｄ及び該バリア下固定孔７０ｄに螺合するキャビネット固定ネジ１６９は、カバー被覆部８８によって覆れて、キャビネット固定ネジ１６９の固定を解除することができなくなる（図６参照）。
【００９６】
さらに、中継基板７５を覆うようにして基板取付部７６に固定された基板カバー８３の封印部材挿入孔９４に、作業者が封印部材９５を挿入し、そのタブ部９６が壁部９３に接するまで封印部材９５を挿入すると、封印部材９５の矢尻部分９７が封印部７９まで到達して、基板カバー８３は基板取付部７６に封印される。即ち、基板カバー８３は、封印部材９５を破壊することなく基板取付部７６から取外すことができない状態となる。
【００９７】
上述のように、バリア下３７にスピーカ収容凹部４５，４６を一体に形成し、スピーカ収容凹部４５，４６に収容されたスピーカ４７をスピーカ収容凹部４５，４６とスピーカグリルプレート１１５とで挟持してバリア下３７に固定するので、スピーカ４７をバリア下３７又はキャビネット３９にネジなどで固定することなく前扉３に配置することができ、例えば、スピーカ４７をスピーカ取付カバーでキャビネット３９やバリア下３７に取付ける場合と比して、スピーカ取付カバーを固定するためのネジなどが必要ないことから、使用するネジの数を抑えることができる。これにより、製造コストを抑えることができ、かつスピーカを着脱する際に、スピーカ取付カバーの着脱作業も不要となるで、スピーカ着脱時の作業性の向上を図ることもできる。
【００９８】
また、フレーム支持部５７に音抜け孔５２の後方を覆う音抜け孔被覆部５８を設けると共に、フレーム支持部５７に支持部開口部６５を設け、フレーム支持部５７でスピーカフレーム５０を支持した際に、音抜け孔５２と支持部開口部６５とが互いにズレるようにしたので、音抜け孔５２の後方側を音抜け孔被覆部５８で塞ぐことができ、かつ支持開口部６５の前方側をスピーカフレーム５０で塞ぐことができる。これにより、音抜け孔５２に異物である針金Ｗなどが差し込まれても音抜け孔被覆部５８でその針金Ｗなどが筐体２内部に入り込むのを防ぐことができると共に、スピーカフレーム５０によって針金Ｗなどが支持部開口部６５に差し込まれるのを防ぐことができる。この結果、振動板５１によって生じた背圧を音抜け孔５２を介して支持部開口部６５から排出することで、スピーカの音質の向上を図ることができると共に、針金Ｗなどがスピーカ４７から筐体２内に差し込まれるのを防止することができ、コーン破りなどのゴト行為を防止することができる。
【００９９】
また、音抜け孔５２を覆う音抜け孔被覆部５８にフレーム支持部凸部６６を設けると共に、音抜け孔５２と連通する連通孔６８をフレーム支持部凸部６６に設け、かつフレーム支持部６６に設けた連通孔６８自体をスピーカ収容凹部４５，４６におけるスピーカ４７の取付け方向である前後方向と直交する横方向に向けて設けたので、連通孔６８からスピーカ４７内に空気を取り込むことができるものでありながら、音抜け孔５２を介して連通孔６８に針金Ｗなどが差し込まれたとしても、その針金Ｗなどは、横方向に向かって挿入される。これにより、連通孔６８からスピーカ４７内に空気を取り込むことで、スピーカ４７の音質の向上を図ることができると共に、針金Ｗなどが音抜け孔５２を介して連通孔６８に挿入されたとしても、その針金Ｗなどがフレーム支持部５７よりも後方である筐体２内部に挿入されることを防止することができ、コーン破りなどのゴト行為を防止することができる。
【０１００】
また、バリア下３７をキャビネット３９の補強部材としての機能を有して構成したので、キャビネット３９をバリア下３７に取付けるのに伴い、キャビネット３９の側板１００，１０１がバリア下３７の左右両辺部３７ａ，３７ｂに支持され、キャビネット３９の天板１０３がバリア下３７の上辺部３７ｃに支持され、キャビネット３９の裏面側がバリア下２７のバリア面に支持されるので、キャビネット３９自体の強度を向上させることができる。これにより、下扉２７自体の耐久性も向上し、例えば、ホッパーユニット１１へのメダル補給に伴う下扉２７の開閉動作を長期間行っても下扉２６の破損を抑えることができ、スロットマシン１自体の信頼性や耐久性を向上させることができる
【０１０１】
また、中継基板７５を保護する基板カバー８３のカバー本体部８５にカバー凸部９０，９１を設け、カバー本体部８５を基板取付部７６に固定して中継基板７５を覆った際に、受け側コネクタ８２と不完全な接続状態のコネクタ８１は、完全な接続状態となるようにカバー凸部９０，９１で受け側コネクタ８２側に押し込まれ、受け側コネクタ８２と完全な接続状態のコネクタ８１は、その接続状態が解除されないようにカバー凸部９０，９１の当接面９０ａ，９１ａとコネクタ８１のコネクタ面８１ａとが当接するので、基板交換などのゴト行為などから中継基板７５を保護するものでありながら、コネクタ８１と受け側コネクタ８２との接触不良や、コネクタ８１が受け側コネクタ８２から外れてしまうことなどを防ぐことができる。これにより、例えば、接触不良などによるスロットマシン１の誤作動などを防止することができる他、コネクタ８１の接触不良を解消すべくコネクタ８１を再接続する度に、下扉２７を開けて、基板カバー８３を取外す必要もないので、ホールスタッフなどの負担も軽減することができる。
【０１０２】
また、基板カバー８３を基板取付部７６に固定して中継基板を保護した際に、コネクタ８１及びワイヤーハーネス８０のコネクタ側の一部がカバー本体部８５によって覆われると共にカバー凸部９０，９１がコネクタ８１に当接しているので、基板カバー８３を取外さない限り、コネクタ８１を受け側コネクタ８２から外すことができないようにすることができる。これにより、例えば、不正に基板を取り換えるゴト行為やワイヤーハーネス８０を交換して行われるゴト行為などを防止することができる。
【０１０３】
また、カバー凸部９０，９１の当接面９０ａ，９１ａが中継基板７５の基板面に向かって突出するように、カバー凸部９０，９１自体をカバー本体部８５のカバー面から中継基板７５方向に突起するように形成し、その当接面９０ａ，９１ａをコネクタ面８１ａに当接させるようにしたので、例えば、中継基板７５の基板面にコネクタ８１よりも大きい電子部品が配置され、カバー本体部８５のカバー面を中継基板７５の基板面から離間させなければならない場合であっても、基板カバー８３による中継基板７５の保護に伴い、コネクタ８１を受け側コネクタ８２に押し込むことができる。これにより、例えば、基板面にコネクタ８１よりも大きな電子部品が配置された基板であったとしても基板カバー８３で保護することができると共に、コネクタ８１の接触不良や、その接触不良に伴う誤作動を防ぐことができる。
【０１０４】
また、中継基板７５を基板カバー８３で保護する際に、封印部材９５によってカバー本体部８５を封印状態で基板取付部７６に固定することができるので、封印部材９５の破壊により基板カバー８３が不正に基板取付部７６から取外されたことを検知することができる。これにより、例えば、基板を交換するゴト行為などを早期に検知することができる。
【０１０５】
また、カバー本体部８５を基板取付部７６に固定した際に、基板取付部７６に設けられたバリア下固定孔７０に螺合するキャビネット固定ネジ１６９がその固定の解除ができないようにカバー被覆部８８によって覆われるので、基板カバー８３を取外さない限り、バリア下３７に固定されたキャビネット３９の固定を解除することができないようにすることができる。これにより、例えば、各種操作スイッチ１１９，１２０，１２１，１２２と接続されるワイヤーハーネス８０の交換するゴト行為などを防止することができる。
【０１０６】
また、スピーカグリルプレート１１５にスピーカグリルボス部１１６を設け、キャビネット３９をバリア下３７に固定した際に、スピーカグリルボス部１１６がスピーカフランジ５３に当接することでスピーカ４７を振動することのないようにスピーカ収容凹部４５，４６に固定するようにしたので、例えば、スピーカフランジ５３の４隅をネジで固定して、スピーカの振動を抑えるものと比して、スピーカ４７の振動を抑えるために用いるネジの数を抑えることができる。これにより、スピーカのビビリ音を抑えて音質の向上を図ることができるものでありながら、スロットマシン１の製造コストを抑えることができる。
【０１０７】
また、スピーカ４７をバリア下３７に固定した際の、スピーカ固定ネジ１６７のバリア下３７上における固定位置間を結ぶ直線とスピーカフランジ５３に当接した際のスピーカグリルボス部１１６間（スピーカフランジ５３への当接位置間）を結ぶ直線とが交差すると共に、キャビネット固定ネジ１６９でキャビネット３９をバリア下３７に固定した際の、バリア下３７上におけるキャビネット固定ネジ１６９の固定位置間を結ぶ直線が、スピーカ固定ネジ１６７の固定位置間を結ぶ直線と交差するようにしたので、上述のスピーカグリルボス部１１６によるスピーカフランジ５３への当接と相まって、スピーカグリルプレート１１５のプレート面にスピーカ４７のガスケット５６が接するようにして、キャビネット固定ネジ１６９でキャビネット３９をバリア下３７に固定した際に、キャビネット３９がバリア面へ引き込まれるのに伴い、スピーカグリルボス部１１６がスピーカフランジ５３のフランジ面を加圧してスピーカ４７を固定する。これにより、スピーカフランジ５３の４隅のうちの対角線上にある２つ隅部（角部）をスピーカ固定ネジ１６９で固定するだけでスピーカフランジ５３の４隅を固定した状態で、スピーカ４７をスピーカ収容凹部４５，４６に固定することができる。この結果、スピーカ４７をスピーカ収容凹部４５，４６に収容させた状態で、スピーカ４７に設けられたガスケット５６をスピーカグリルプレート１１５のプレート面に接するようにし、かつスピーカ４７の振動を抑えるためスピーカフランジ５３をネジで固定するように構成しても、スピーカ４７の振動を抑えるのに用いるネジや、ガスケット５６をスピーカグリルプレート１１５に接地させるのに用いるネジなどの数を抑えることができ、さらには、ガスケット５６をスピーカグリルプレート１１５に密着させることで音質を向上させつつ、スロットマシン１に用いるネジの数を抑えてスロットマシン１の製造コストを抑えることができる。
【０１０８】
また、第１、第２、及び第３バリア下固定孔７０ａ，７０ｂ，７０ｃをフランジ嵌合部凸部６１に近接した位置に設け、キャビネット３９をバリア下３７に固定する際、フランジ嵌合部凸部６１に近接した位置にてキャビネット３９をバリア下３７にキャビネット固定ネジ１６９で固定することができるようにしたので、スピーカグリルボス部１１６をバリア面側に強い力で引き込めるようにすることができ、スピーカグリルボス部１１６をスピーカフランジ５３のフランジ面に強く押付けることができる。これにより、スピーカ固定ネジ１６７による固定と相まって、スピーカフランジ５３をバリア面側に向かって、強くかつバランスよく押し付けることができ、スピーカのビビリ音が生じるのを抑えることができる。
【０１０９】
また、上述のように、スピーカ４７をバリア下３７に設けられたスピーカ収容凹部４５，４６に装着した場合であっても、ガスケット５６をスピーカグリルプレート１１５に密着させて音質の向上を図ることができる共に、スピーカ４７をビビリ音の発生を抑えてスピーカ収容凹部４５，４６に装着することができるので、例えば、スロットマシン１についてリユースを行う際にあっては、キャビネット３９側にスピーカ４７が取付けられたスロットマシンについてリユースを行う場合と比べて、スピーカ４７を廃棄対象であるキャビネット３９から取外す必要がないため、リユースを行う際の作業性の向上を図ることができる。
【０１１０】
また、キャビネット３９にコネクタ８１を保持するコネクタ保持部１３０を設けると共に、バリア下３７のコネクタ保持部１３０に対応する位置にバリア下開口部７３を設け、キャビネット３９をバリア下３７に固定した際に、バリア下開口部７３からコネクタ保持部１３０に保持させたコネクタ８１を引き出せるようにしたので、例えば、キャビネット３９の交換作業を一人で行う際、各種操作スイッチ１１９，１２０、１２１，１２２に一端がコネクタ８１を介して接続されたワイヤーハーネス８０の他端側のコネクタ８１を容易にバリア下３７の裏側面に引き出すことができる。これにより、キャビネット３９の交換作業を行う際に行うバリア下３７の裏面側へのコネクタ８１の引き出し作業の負担が軽減され、キャビネット３９をバリア下３７に取付ける際の取付け作業性の向上を図ることができる。この結果、キャビネット３９の交換作業（組み立て作業）を１人でも容易に行うことができる。
【０１１１】
また、キャビネット３９にハーネス収容部１３２を設け、コネクタ保持部１３０にコネクタ８１を保持させた際、余分なワイヤーハーネス８０を収容できるようにしたので、キャビネット３９をバリア下３７に取付ける際にキャビネット３９とバリア下３７との間にワイヤーハーネスが挟み込まれることを防止することができる。これにより、ワイヤーハーネス８０を傷つけることなくキャビネット３９の組み立て作業をスムーズに行うことができる。
【０１１２】
また、ジョグダイヤル本体部１６０にジョグダイヤル凹部１６５を設けると共に、バリア下３７にバリア下凸部１６６を設け、ジョグダイヤル１２２を装着した状態でキャビネット３９をバリア下３７に固定した際に、バリア下凸部１６６がジョグダイヤル凹部１６５に嵌合して固定状態（本止め）となるようにしたので、例えば、キャビネット３９に設けられた取付け孔１０４とジョグダイヤル本体部１６０との隙間に針金Ｗが差し込まれ、その針金Ｗにより後側フック１６３におけるキャビネット３９へのフックが解除されたとしても、バリア下凸部１６６がジョグダイヤル凹部１６５に嵌合しているため、ジョグダイヤル１２２をキャビネット３９から取外すことができない。このためキャビネット３９をバリア下３７から取外さない限り、キャビネット３９（即ち下扉２７）からジョグダイヤル１２２を取外すことができないが、キャビネット３９は、複数のキャビネット固定ネジ１６９によってバリア下３７に固定され、かつそのキャビネット固定ネジ１６９の内の１つが上述のように、カバー被覆部８８によってその固定の解除ができないように覆われるので、バリア下３７からキャビネット３９を（またはキャビネット３９からバリア下３７を）容易に取外すことができないように取付けられている。これにより、バリア下３７からキャビネット３９を取外すことで、バリア下凸部１６６とジョグダイヤル凹部１６５との嵌合の解除を行うことも困難となる。この結果、ジョグダイヤル１２２をキャビネット３９から取外すことが困難となり、ジョグダイヤル１２２の取外しに伴い、取付け孔１０４を介して行われるゴト行為などを防止することができるものでありながら、キャビネット３９をバリア下３７に固定する一連の作業でジョグダイヤル１２２をキャビネット３９（下扉２７）に固定でき、ジョグダイヤル１２２の取付け作業の作業性の向上を図ることができる。
【０１１３】
また、ジョグダイヤル本体部１６０にキャビネット３９の取付け孔１０４に位置決めする前側フック１６２を設けると共に、ジョグダイヤル本体部１６０をキャビネット３９に仮止め状態で取付ける後側フックを設け、バリア下凸部１６６がジョグダイヤル凹部１６５に嵌合する位置でジョグダイヤル１２２をキャビネット３９に仮止め状態で取付けることができるようにしたので、常にバリア下凸部１６６がジョグダイヤル凹部に嵌合する位置でジョグダイヤル本体部１６０をキャビネット３９に取付けることができる。これにより。ジョグダイヤル１２２の本固定が行いやすくなり、キャビネット３９のバリア下３７への固定をスムーズに行うことができる。この結果、キャビネット３９をバリア下３７に取付ける取付け作業の作業性の向上を図ることができる。
【０１１４】
また、下パネル１４３をキャビネット開口部１０５から取外す際には、上側フック受け１３７に対する上側フック１５３のフックの解除を行う必要があるが、上側フック１５３を平板状のフック本体部１５５と係止突起部１５６とから構成すると共に、上側フック１５３が上側フック受け１３７にフックした際に、係止突起部１５６の尖った先端が下パネル１４３の内方側に向かって突起した状態になるようにしたので、例えば、図２５に示すように、キャビネット開口部１０５と下パネル１４３との間に挿入された針金Ｗによって上側フック１５３が押されたとしても、その針金Ｗによって押される方向は上側フック１５３のフック状態を強める方向であるため、上側フック受け１３７に対する上側フック１５３のフックの解除を防ぐことができる。これにより、キャビネット開口部１０５から下パネル１４３が外されることを防ぐことができ、下パネル１４３を外して行われるゴト行為などを防止することができる。
【０１１５】
また、下パネル１４３を２分割で構成し、かつ前ケース１４５に下側フック開口部１５１が設けられた下側フック１５０を設けると共に、後ケース１４６に後ケース突起部１５２を設け、前ケース１４５と後ケース１４６と重ね合わせる際に、後ケース突起部１５２に下側フック開口部１５１に嵌合させることで、下パネル１４３をキャビネット開口部１０５に取付ける際に係止する第２係止部を形成するようにしたので、例えば、下側フック１５０と対応しない位置であって、後ケース１４６の側辺側に突起部を設け、この突起部及び下側フック１５０をキャビネット開口部１０５の開口縁部１３６にフックさせて下パネルをキャビネット開口部１０５に取付ける場合と比して、開口縁部１３６に設けるフック受けの数を抑えることができる。これにより、スロットマシン１の製造コストを抑えることができる。
【０１１６】
また、後ケース１４６にパネル側フック１５９を設けると共に、キャビネット３９にスライドフック１４１を設け、下パネル１４３をキャビネット開口部１０５に取付けた状態でパネル側フック１５９をスライドフック１４１にフックさせると、パネル下１４３がキャビネット面から取外すことができなくなるようにしたので、例えば、下パネルにおけるパネル側フック１５９以外のフックが外されたとしても、下パネル１４３がキャビネト開口部１０５から取外されることを防止することができる。これにより、下パネル１４３を外して行われるゴト行為などを防止することができる。
【０１１７】
また、下パネル１４３がキャビネット開口部１０５に取付けられた際に、図２６の矢印Ａに示すように、斜め下側からＬＥＤ基板４２によってそのパネル面が照らされるようにしたので、補強リブ１５７など上側フック１５３及びその周辺の形状が下パネル１４３のパネル面に映り込むのを防止することができる。これにより、パネル面の美観が損なわれるのを抑えることができる。
【０１１８】
なお、本実施の形態では、中継基板７５が取付けられたバリア下３７の基板取付部７６にカバー本体部８５を固定することで、中継基板７５を覆うようにして保護する基板カバー８３にカバー凸部９０，９１を設けたが、これに限らず、コネクタを接続するための受け側コネクタが設けられた基板を保護する基板ケースであれば何れでもよく、例えば、基板の裏側面を下カバーで覆うと共に、その基板の表側面を上カバーで覆い、下カバーと上カバーとで基板を挟み込むようにして密封する基板ケースであって、受け側コネクタが設けられた基板面と面するカバー面に凸部を設け、受け側コネクタに接続されたコネクタに当接させる構成であってもよい。
【０１１９】
また、本実施の形態では、当接面９０ａ，９１ａが中継基板７５側に向かって突出するように、当接部であるカバー凸部９０，９１自体を中継基板７５に向かって突起するように構成したが、これに限らず、基板カバーで基板を保護した際に、基板カバーに設けた当接面が基板の受け側コネクタに接続されたコネクタのコネクタ面に当接すればいずれのものであってもよい。例えば、図２７の（Ａ）に示すように、基板カバー８３Ａに設けられた当接部１７０，１７１の当接面１７０ａ，１７１ａが中継基板７５の基板面を覆うカバー面と同一の高さ、即ち、カバー面と同一平面上にあるように構成してもよく、さらには、図２７（Ｂ）に示すように、当接面１７２ａ，１７３ａが中継基板７５を覆う基板カバー８３Ｂのカバー面と離れた位置にある、即ち、当接部１７２，１７３を中継基板７５基板面から離れる方向（基板面とは逆の方向）に突起するように構成してもよい。
【０１２０】
また、本実施の形態では、スピーカ４５に当接する突起部をスピーカフランジ嵌合部凸部６２の先端部と嵌合するスピーカグリルボス部１１６で構成したが、これに限らず、キャビネット３９をバリア下３７に固定した際に、スピーカに当接してスピーカ４７を固定できれば何れのものであってもよい。例えば、スピーカグリルプレート１１５に凸部を設け、該凸部をスピーカフランジ５３に当接させてもよい。
【０１２１】
また、本実施の形態では、スピーカフランジ５３の４隅のうち２つをフランジ孔５５にスピーカ固定ネジ１６７を螺合させ、他の２つにスピーカグリルボス部１１６を当設させてスピーカ４７をスピーカ収容凹部４５，４６に固定する構成としたが、これに限らず、スピーカ４７をスピーカ収容凹部４５，４６に固定することができれば何れでものであってもよく、例えば、スピーカグリルプレート１１５におけるスピーカフランジ５３の４隅に対応する位置にスピーカグリルボス部１１６を４つ設け、この４つのスピーカグリルボス部１１６をスピーカフランジ５３の４隅に当接させてスピーカ４７をスピーカ収容凹部４５，４６に固定させる構成であってもよい。
【０１２２】
また、本実施の形態では、操作スイッチ被係止部をジョグダイヤル凹部１６５で構成し、かつ基体側係止部をバリア下凸部１６６で構成したが、これに限らず、ジョグダイヤル本体部１６０を取外すことができないように固定できれば何れのものであってもよく、例えば、操作スイッチ被係止部を凸部で構成し、基体側係止部を凹部で構成しても当然によく、また、バリア下３７にフックを設けると共に、ジョグダイヤル本体部１６０にフック受けを設けてジョグダイヤル本体部１６０をバリア下３７にフックさせる構成であってもよい。
【０１２３】
また、本実施の形態では、キャビネット３９のバリア下３７の固定に伴い、ジョグダイヤル１２２に設けたジョグダイヤル凹部１６５がバリア下３７に設けたバリア下凸部１６６に嵌合することで、ジョグダイヤル１２２を取外し不能な状態でキャビネット３９に取付けるように構成したが、これに限らず、キャビネット３９に取付けられるスイッチであれば何れのスイッチであってもよい。例えば、ＭＡＸＢＥＴボタン１２１に操作スイッチ被係止部を設け、その操作スイッチ被係止部がキャビネット３９のバリア下３７への固定に伴い、バリア下３７に設けた基体係止部と係止することで、ＭＡＸＢＥＴボタン１２１が取外し不能な状態でキャビネット３９に取付けられるように構成してもよい。
【０１２４】
また、本実施の形態では、コネクタ係止部を３つのボス部材１３１ａ，１３１ｂ，１３１ｃで構成したが、これに限らず、コネクタ８１を保持できれば何れのものであってもよく、例えば、コネクタ８１を挟んで保持するためのクリップなどを設けてもよい。
【０１２５】
また、本実施の形態では、キャビネット３９をバリア下３７に固定した際に、ボス部材１３１ａ，１３１ｂ，１３１ｃがバリア下開口部７３からバリア下３７の裏側面上に突出するのに伴い、ボス部材１３１ａ，１３１ｂ，１３１ｃに保持させたワイヤーハーネス８０のコネクタ８１がバリア下３７の裏側面上に位置することにより、そのコネクタ８１をバリア下３７の裏側面上に引き出し得るように構成したが、これに限らず、キャビネット３９をバリア下３７に固定した際に、ボス部材１３１ａ，１３１ｂ，１３１ｃに保持させたワイヤーハーネス８０のコネクタ８１をバリア下開口部７３から引き出せれば何れのものであってもよい。例えば、キャビネット３９をバリア下３７に固定した際に、ボス部材１３１ａ，１３１ｂ，１３１ｃはバリア下３７の裏側面上に突出しないが、コネクタ８１自体はバリア下３７の裏側面上に位置し、またはコネクタ８１自体もバリア下３７の裏側面上に位置しないがバリア下開口部７３の開口面に近接した場所に位置することでコネクタ８１を引き出し得るように構成してもよい。
【０１２６】
また、本実施の形態では、第２係止部を下側フック１５０に設けられた下側フック開口部１５１に後ケース突起部１５２が嵌合させて形成するように構成したが、これに限らず、前突起部と後突起部が互いに係止して形成されれば何れのものであってもよく、例えば、後ケース突起部１５２に開口部を設けると共に、下側フック１５０を嵌合させて第２係止部を形成する構成であってもよい。
【０１２７】
また、本実施の形態では、上扉及び下扉の２枚の扉で構成される前扉に本発明を適用して説明したがこれに限らず、１枚で構成される前扉にも当然に本発明を適用することができる。
【符号の説明】
【０１２８】
１        遊技機（スロットマシン）
２        筐体
３        前扉
３７      基体（バリア下）
３９      扉本体（キャビネット）
７３      開口部（バリア下開口部）
７５      基板（中継基板）
８０      ワイヤーハーネス
８１      コネクタ
１１７    操作部
１３０    コネクタ保持部
【図１】
2014100165.tif 000003
【図２】
2014100165.tif 000004
【図３】
2014100165.tif 000005
【図４】
2014100165.tif 000006
【図５】
2014100165.tif 000007
【図６】
2014100165.tif 000008
【図７】
2014100165.tif 000009
【図８】
2014100165.tif 000010
【図９】
2014100165.tif 000011
【図１０】
2014100165.tif 000012
【図１１】
2014100165.tif 000013
【図１２】
2014100165.tif 000014
【図１３】
2014100165.tif 000015
【図１４】
2014100165.tif 000016
【図１５】
2014100165.tif 000017
【図１６】
2014100165.tif 000018
【図１７】
2014100165.tif 000019
【図１８】
2014100165.tif 000020
【図１９】
2014100165.tif 000021
【図２０】
2014100165.tif 000022
【図２１】
2014100165.tif 000023
【図２２】
2014100165.tif 000024
【図２３】
2014100165.tif 000025
【図２４】
2014100165.tif 000026
【図２５】
2014100165.tif 000027
【図２６】
2014100165.tif 000028
【図２７】
2014100165.tif 000029